(57)【要約】【課題】車両のエアコン吹き出し口のルーバーに取り付ける物品保持具において、運転操作の邪魔にならず複数の物品を保持可能で、更に飲料容器の加熱及び冷却を行う事が出来、携帯電話やリモートコントローラーなどの加熱及び冷却を防止する。【解決手段】車両のエアコン吹き出し口のルーバーへの取り付け部を有し単独で第１物品保持部を形成する固定保持体と、前記固定保持体に軸支され前記固定保持体と重なった状態で第２物品保持部を形成する格納位置と、前記固定保持体とは異なる位置に単独で第３物品保持部を形成する展開位置との双方の位置に旋回可能に構成された可動保持体とを備え、少なくとも前記第１物品保持部はエアコン吹き出し口から吹き出す空気の取り入れ部を有し、又、前記第２物品保持部若しくは前記第３物品保持部は、エアコン吹き出し口から吹き出す空気の取り入れ部を有さない構造とする。【選択図】図１
2006213100.tif 000002
【特許請求の範囲】
【請求項１】
車両のエアコン吹き出し口のルーバー１への取り付け具２を有し単独で第１物品保持部３を形成する固定保持体４と、前記固定保持体４に対して略水平方向に旋回可能に軸支され、固定保持体４と重なった状態で第２物品保持部６を形成する格納位置と、固定保持体４とは異なる位置に単独で第３物品保持部７を形成する展開位置との双方の位置に配置可能に構成された可動保持体８より成り、前記固定保持体４は保持物品の主に水平方向への移動を制限する枠部材１０ａと、保持物品の下面を支持する底部材１１ａと、前記枠部材１０ａと前記底部材間１１ａを上下方向につなぐ壁部材１２ａとを有し、前記可動保持体８は保持物品の水平方向への移動を制限する枠部材１０ｂと、保持物品の下面を支持する底部材１１ｂと、前記枠部材１０ｂと前記底部材間１１ｂを上下方向につなぐ壁部材１２ｂを有し、ルーバー１への取り付け状態において前記第１物品保持部３は、固定保持体４の枠部材１０ａと底部材１１ａ間の、エアコン吹き出し口と対向する位置にエアコン吹き出し口から吹き出す空気を取り入れ可能な取り入れ口１４ａが形成されることを特徴とする車両用物品保持具。
【請求項２】
ルーバー１への取り付け状態において第２物品保持部６は、可動保持体８の枠部材１０ｂと底部材１１ｂの間の、固定保持体４の空気取入口１４ａと少なくとも一部が重なる位置に、エアコン吹き出し口から吹き出す空気を第２物品保持部６内に取り入れ可能な取り入れ口１４ｂが形成される事を特徴とする請求項１記載の車両用物品保持具。
【請求項３】
ルーバー１への取り付け状態において第３物品保持部７は、可動保持体８の枠部材１０ｂと底部材１１ｂの間の、エアコン吹き出し口と対向する位置に、エアコン吹き出し口から吹き出す空気を遮断する壁部材１２ｂが形成される事を特徴とする請求項１又は２記載の車両用物品保持具。
【請求項４】
ルーバー１への取り付け状態において第３物品保持部７は、可動保持体８の枠部材１０ｂと底部材１１ｂの間の、エアコン吹き出し口と対向する位置に、エアコン吹き出し口から吹き出す空気を第３物品保持部７内に取り入れ可能な取り入れ口１４ｃが形成される事を特徴とする請求項１又は２記載の車両用物品保持具。
【発明の詳細な説明】
【技術分野】
【０００１】
本発明は車両のエアコン吹き出し口のルーバーへ取り付け可能な物品保持具において、特に飲料容器、携帯電話、リモートコントローラー、灰皿、タバコ、サングラス等を保持する物品保持部の数を切換可能な物品保持具に関するものである。
【背景技術】
【０００２】
従来の車両用物品保持具においては、図１６、図１７に示すように、車両のエアコン吹き出し口のルーバーへ取り付け可能で且つ、物品保持部の数を切換可能な物品保持の構造が知られている。
【０００３】
この、従来の車両用物品保持においては、車両のエアコン吹き出し口のルーバーにクリップ２０で取り付け、固定保持部２１に対して、可動保持部２２を前方に開放した状態において、たばこ容器及び携帯電話及び飲料容器等の物品を、同時に双方に収納保持できる構成となっている。
【０００４】
又、従来の他の車両用物品保持具においては、図１８に示すように、保持物品の水平方向への移動を制限する枠部材２３ａと、保持物品の下面を支持する底部材２４ａと、枠部材２３ａと底部材間２４ｂを上下方向につなぐ壁部材２５を有し、フロントコンソール２６の側面に固定され単独で第１物品保持部を形成する固定保持体２７と、保持物品の水平方向への移動を制限する枠部材２３ｂと、保持物品の下面を支持する底部材２４ｂとを有し、前記固定保持体２７に軸支され、固定保持体２７と重なった状態で第２物品保持部を形成する格納位置と、固定保持体２７とは異なる位置に単独で第３物品保持部を形成する展開位置との双方の位置に、略水平方向に旋回可能に構成された可動保持体２８を備えた車両用物品保持具が知られている。
【特許文献１】意匠登録第１１３８５２４号
【特許文献２】特開平１０−９５２６７号
【発明の開示】
【発明が解決しようとする課題】
【０００５】
然しながら、車両のエアコン吹き出し口のルーバーにクリップ等の取り付け具で取り付けるタイプの物品保持具で、物品保持部の数を切換可能な物は、保持可動部を前方に開放する事により、物品保持部の数を切換る構造であるため、保持可動部を前方に開放した際に、物品保持部が前方に大きく張り出し、コンソールボックス等に収納されている機器の操作の障害になるばかりでなく、運転操作に係わる、コラムシフトレバー、ワイパーレバー等の操作に支障を来たす恐れがあった。
【０００６】
又、エアコン吹き出し口のルーバーに対しクリップ等の取り付け具を利用して車両用物品保持具を取り付ける場合は、フロントコンソールの側面などに固定される場合と比較して、ルーバーと取り付け具間のガタツキや、ルーバー自身の撓みにより、物品保持具自体の固定状態が不安定であり、一般的に保持物品の中でも、重量の重い飲料容器と、携帯電話など重量が軽いの物品の保持位置を夫々適切に設定する必要がある。
【０００７】
更に、保持物品の中でも飲料容器は、エアコンから吹き出す加熱若しくは冷却された空気による加熱及び冷却効果を与える事が望まれ、逆に、携帯電話や、リモートコントローラーなどは、エアコンから吹き出す空気が直接当たると、加熱による温度上昇や、冷却による露の付着などが起こり、故障の原因となっていた。
【０００８】
本発明は、上記のような不具合を除き、課題を解決したものである。
【課題を解決するための手段】
【０００９】
本発明の車両用物品保持具は、車両のエアコン吹き出し口のルーバー１への取り付け具２を有し単独で第１物品保持部３を形成する固定保持体４と、前記固定保持体４に対して略水平方向に旋回可能に軸支され、固定保持体４と重なった状態で第２物品保持部６を形成する格納位置と、固定保持体４とは異なる位置に単独で第３物品保持部７を形成する展開位置との双方の位置に配置可能に構成された可動保持体８より成り、前記固定保持体４は保持物品の主に水平方向への移動を制限する枠部材１０ａと、保持物品の下面を支持する底部材１１ａと、前記枠部材１０ａと前記底部材間１１ａを上下方向につなぐ壁部材１２ａとを有し、前記可動保持体８は保持物品の水平方向への移動を制限する枠部材１０ｂと、保持物品の下面を支持する底部材１１ｂと、前記枠部材１０ｂと前記底部材間１１ｂを上下方向につなぐ壁部材１２ｂを有し、ルーバー１への取り付け状態において第１物品保持部３は、固定保持体４の枠部材１０ａと底部材１１ａ間の、エアコン吹き出し口と対向する位置にエアコン吹き出し口から吹き出す空気を取り入れ可能な取り入れ口１４ａが形成されることを特徴とする。
【００１０】
又、ルーバー１への取り付け状態において第２物品保持部６は、可動保持体８の枠部材１０ｂと底部材１１ｂの間の、固定保持体４の空気取入口１４ａと少なくとも一部が重なる位置に、エアコン吹き出し口から吹き出す空気を第２物品保持部６内に取り入れ可能な取り入れ口１４ｂが形成される様にすると良い。
【００１１】
更に、ルーバー１への取り付け状態において第３物品保持部７は、可動保持体８の枠部材１０ｂと底部材１１ｂの間の、エアコン吹き出し口と対向する位置に、エアコン吹き出し口から吹き出す空気を遮断する壁部材１２ｂが形成されるようにすると良い。
【００１２】
尚、ルーバー１への取り付け状態において第３物品保持部７は、可動保持体８の枠部材１０ｂと底部材１１ｂの間の、エアコン吹き出し口と対向する位置に、エアコン吹き出し口から吹き出す空気を第３物品保持部７内に取り入れ可能な取り入れ口１４ｃが形成される様にしても良い。
【発明の効果】
【００１３】
上記のように本発明の車両用物品保持具は、車両のエアコン吹き出し口のルーバーに、クリップ等の取り付け具で取り付けるタイプの物品保持具において物品保持部の数を切換可能な物でありながら、コンソールボックス等に収納されている機器の操作や運転操作に支障を来たす事が無く、更に上記ルーバーと取り付け具の間のガタツキや、ルーバー自身の撓みにより、物品保持具自体の固定状態が不安定になる事を防止出来、又、飲料容器などの保持物品においては、エアコンから吹き出す空気によって飲料容器の加熱及び冷却を行う事が出来る。更に携帯電話や、リモートコントローラーなどの保持物品においては、エアコンから吹き出す空気によって加熱及び冷却される事による不具合を防止出来る効果もある。
【発明を実施するための最良の形態】
【００１４】
以下、図面を参照しつつ、本発明の実施の形態について説明する。
【実施例１】
【００１５】
本発明の車両用物品保持具の第１実施例は、図１〜図３に示すように、車両のエアコン吹き出し口のルーバー１への取り付け具２を有し単独で第１物品保持部３を形成する固定保持体４と、軸５により前記固定保持体４に対して略水平方向に旋回可能に軸支され、固定保持体４と重なった状態で第２物品保持部６を形成する格納位置と、第１物品保持部３の側方位置に単独で第３物品保持部７を形成する展開位置との双方の位置に配置可能に構成された可動保持体８より成り、前記固定保持体４は保持物品の主に水平方向への移動を制限する枠部材１０ａと、保持物品の下面を支持する底部材１１ａと、前記枠部材１０ａと前記底部材間１１ａを上下方向につなぐ壁部材１２ａと、保持物品の大きさに適合して起伏自在な制限部材１３とを有し、前記可動保持体８は保持物品の水平方向への移動を制限する枠部材１０ｂと、保持物品の下面を支持する底部材１１ｂと、前記枠部材１０ｂと前記底部材間１１ｂを上下方向につなぐ壁部材１２ｂを有し、更に上下方向において前記固定保持体４の枠部材１０ａと底部材１１ａの間に可動保持体８が配置される。
【００１６】
そしてルーバー１への取り付け状態において第１物品保持部３は、固定保持体４の枠部材１０ａと底部材１１ａ間の、エアコン吹き出し口と対向する位置に、エアコン吹き出し口から吹き出す空気を取り入れ可能な空気の取り入れ口１４ａが形成される。
【００１７】
更にルーバー１への取り付け状態において第２物品保持部６は、可動保持体８の枠部材１０ｂと底部材１１ｂの間の、固定保持体４の空気取入口１４ａと少なくとも一部が重なる位置に、エアコン吹き出し口から吹き出す空気を第２物品保持部６内に取り入れ可能な空気の取り入れ口１４ｂが形成される。
【００１８】
更にルーバー１への取り付け状態において第３物品保持部７は、可動保持体８の枠部材１０ｂと底部材１１ｂの間の、エアコン吹き出し口と対向する位置に、エアコン吹き出し口から吹き出す空気を遮断する壁部材１２ｂが形成される。
【実施例２】
【００１９】
本発明の車両用物品保持具の第２実施例は、図４〜図５に示すように、車両のエアコン吹き出し口のルーバー１への取り付け具２を有し単独で第１物品保持部３を形成する固定保持体４と、軸５により前記固定保持体４に対して略水平方向に旋回可能に軸支され、固定保持体４と重なった状態で第２物品保持部６を形成する格納位置と、第１物品保持部３の側方位置に単独で第３物品保持部７を形成する展開位置との双方の位置に配置可能に構成された可動保持体８より成り、前記固定保持体４は保持物品の主に水平方向への移動を制限する枠部材１０ａと、保持物品の下面を支持する底部材１１ａと、前記枠部材１０ａと前記底部材間１１ａを上下方向につなぐ壁部材１２ａと、保持物品の大きさに適合して起伏自在な制限部材１３とを有し、前記可動保持体８は保持物品の水平方向への移動を制限する枠部材１０ｂと、保持物品の下面を支持する底部材１１ｂと、前記枠部材１０ｂと前記底部材間１１ｂを上下方向につなぐ壁部材１２ｂを有し、更に上下方向において前記可動保持体８の枠部材１０ｂと底部材１１ｂの間に固定保持体４が配置される。
【００２０】
そしてルーバー１への取り付け状態において第１物品保持部３は、固定保持体４の枠部材１０ａと底部材１１ａ間の、エアコン吹き出し口と対向する位置に、エアコン吹き出し口から吹き出す空気を取り入れ可能な空気の取り入れ口１４ａが形成される。
【００２１】
更にルーバー１への取り付け状態において第２物品保持部６は、可動保持体８の枠部材１０ｂと底部材１１ｂの間の、固定保持体４の空気取入口１４ａと重なる位置に、エアコン吹き出し口から吹き出す空気を第２物品保持部６内に取り入れ可能な空気取り入れ口１４ｂが形成される。
【００２２】
更にルーバー１への取り付け状態において第３物品保持部７は、可動保持体８の枠部材１０ｂと底部材１１ｂの間の、エアコン吹き出し口と対向する位置に、エアコン吹き出し口から吹き出す空気を遮断する壁部材１２ｂが形成される。
【実施例３】
【００２３】
本発明の車両用物品保持具の第３実施例は、図６〜図７に示すように基本的な構成は前記第１実施例と同様であるが、固定保持体４の枠部材１０ａが、軸５周囲を除く、第３物品保持部７と近接する位置において配置されない構成となっている。この構成により第２物品保持部６に物品を保持した状態のままで、可動保持体８を第３物品保持部７の位置に回動させる事が出来るため、いちいち保持物品を取り外す事無く、第２物品保持部６から、第１物品保持部３と第３物品保持部７にスムーズに切替出来る効果がある。
【実施例４】
【００２４】
本発明の車両用物品保持具の第４実施例は、図８〜図９に示すように、車両のエアコン吹き出し口のルーバー１への取り付け具２を有し単独で第１物品保持部３を形成する固定保持体４と、軸５により前記固定保持体４に対して略水平方向に旋回可能に軸支され、固定保持体４と重なった状態で第２物品保持部６を形成する格納位置と、第１物品保持部３の前方位置に単独で第３物品保持部７を形成する展開位置との双方の位置に配置可能に構成された可動保持体８より成り、前記固定保持体４は保持物品の主に水平方向への移動を制限する枠部材１０ａと、保持物品の下面を支持する底部材１１ａと、前記枠部材１０ａと前記底部材間１１ａを上下方向につなぐ壁部材１２ａと、保持物品の大きさに適合して起伏自在な制限部材１３とを有し、前記可動保持体８は保持物品の水平方向への移動を制限する枠部材１０ｂと、保持物品の下面を支持する底部材１１ｂと、前記枠部材１０ｂと前記底部材間１１ｂを上下方向につなぐ壁部材１２ｂを有し、更に上下方向において前記固定保持体４の枠部材１０ａと底部材１１ａの間に可動保持体８が配置される。
【００２５】
そしてルーバー１への取り付け状態において第１物品保持部３は、固定保持体４の枠部材１０ａと底部材１１ａ間の、エアコン吹き出し口と対向する位置に、エアコン吹き出し口から吹き出す空気を取り入れ可能な空気の取り入れ口１４ａが形成される。
【００２６】
更にルーバー１への取り付け状態において第２物品保持部６は、可動保持体８の枠部材１０ｂと底部材１１ｂの間の、固定保持体４の空気取入口１４ａと重なる位置に、エアコン吹き出し口から吹き出す空気を第２物品保持部６内に取り入れ可能な空気の取り入れ口１４ｂが形成される。
【００２７】
更にルーバー１への取り付け状態において第３物品保持部７は、可動保持体８の枠部材１０ｂと底部材１１ｂの間の、エアコン吹き出し口と対向する位置に、エアコン吹き出し口から吹き出す空気を遮断する壁部材１２ｂが形成される。
【００２８】
前記、第１〜第４実施例においては、車両のエアコン吹き出し口のルーバー１への取り付け具２を有する、第１物品保持部３、及び第１物品保持部３と同位置に物品保持部が構成される第２物品保持部６に、重量の重い飲料容器等を保持し、車両のエアコン吹き出し口のルーバー１への取り付け具から離れた位置にある第３物品保持部７を、保持物品の中でも比較的重量が軽い携帯電話や、リモートコントローラーなどの保持する事により、ルーバー１とクリップ等の取り付け部２との間のガタツキや、ルーバー１自身の撓みに起因して、物品保持具の固定状態が不安定になる事を防止すると共に、第１物品保持部３、及び第２物品保持部６には、エアコンから吹き出す加熱若しくは冷却された空気の取り入れ口１４ａ、１４ｂが夫々設けられているため、飲料容器を加熱及び冷却する事ができる。又、携帯電話や、リモートコントローラーを保持する第３物品保持部７は、エアコンから吹き出す空気によって加熱及び冷却される事を防止する壁部材１２ｂが設けてあるため、エアコンから吹き出す空気による加熱による温度上昇や、冷却による露の付着による故障を防止する効果がある。
【実施例５】
【００２９】
本発明の車両用物品保持具の第５実施例は、図１０〜図１１に示すように、車両のエアコン吹き出し口のルーバー１への取り付け具２を有し単独で第１物品保持部３を形成する固定保持体４と、軸５により前記固定保持体４に対して略水平方向に旋回可能に軸支され、固定保持体４と重なった状態で第２物品保持部６を形成する格納位置と、第１物品保持部３の側方位置に単独で第３物品保持部７を形成する展開位置との双方の位置に配置可能に構成された可動保持体８より成り、前記固定保持体４は保持物品の主に水平方向への移動を制限する枠部材１０ａと、保持物品の下面を支持する底部材１１ａと、前記枠部材１０ａと前記底部材間１１ａを上下方向につなぐ壁部材１２ａと、保持物品の大きさに適合して起伏自在な制限部材１３とを有し、前記可動保持体８は保持物品の水平方向への移動を制限する枠部材１０ｂと、保持物品の下面を支持する底部材１１ｂと、前記枠部材１０ｂと前記底部材間１１ｂを上下方向につなぐ壁部材１２ｂを有し、更に上下方向において前記固定保持体４の枠部材１０ａと底部材１１ａの間に可動保持体８が配置される。
【００３０】
そしてルーバー１への取り付け状態において第１物品保持部３は、固定保持体４の枠部材１０ａと底部材１１ａ間の、エアコン吹き出し口と対向する位置に、エアコン吹き出し口から吹き出す空気を取り入れ可能な空気の取り入れ口１４ａが形成される。
【００３１】
更にルーバー１への取り付け状態において第２物品保持部６は、可動保持体８の枠部材１０ｂと底部材１１ｂの間の、固定保持体４の空気取入口１４ａと重なる位置に、エアコン吹き出し口から吹き出す空気を第２物品保持部６内に取り入れ可能な空気の取り入れ口１４ｂが形成される。
【００３２】
更にルーバー１への取り付け状態において前記第３物品保持部７は、可動保持体８の枠部材１０ｂと底部材１１ｂの間の、エアコン吹き出し口と対向する位置に、エアコン吹き出し口から吹き出す空気を前記第３物品保持部７内に取り入れ可能な取り入れ口１４ｃが形成される。
【００３３】
第５実施例においては、第１物品保持部３、第２物品保持部６、第３物品保持部７の全てにエアコンから吹き出す加熱若しくは冷却された空気の取り入れ口１４ａ、１４ｂ、１４ｃが夫々設けられているため、どの保持部に飲料容器を保持した場合においても飲料容器を加熱及び冷却する事ができ、同時に第１物品保持部３と第３物品保持部７に飲料容器を保持した場合には、運転者と、助手席の同乗者の飲料容器を同時に加熱及び冷却する事が出来るため非常に便利である。尚、本実施例においては、エアコン吹き出し口のルーバー１と、クリップ等の取り付け具２との間のガタツキや、ルーバー１自身の撓みを防止するために、サブクリップ（図示せず）等の補助取り付け具を追加したり、取り付け具の位置を予め、若しくはスライド機構（図示せず）等により第３物品保持部７の方向にオフセット可能な構造を用いる事が出来る。
【実施例６】
【００３４】
本発明の車両用物品保持具の第６実施例は、図１２〜図１３に示すように、車両のエアコン吹き出し口のルーバー１への取り付け具２を有し単独で第１物品保持部３を形成する固定保持体４と、軸５により前記固定保持体４に対して略水平方向に旋回可能に軸支され、固定保持体４と重なった状態で第２物品保持部６を形成する格納位置と、第１物品保持部３の側方位置に単独で第３物品保持部７を形成する展開位置との双方の位置に配置可能に構成された可動保持体８より成り、前記固定保持体４は保持物品の主に水平方向への移動を制限する枠部材１０ａと、保持物品の下面を支持する底部材１１ａと、前記枠部材１０ａと前記底部材間１１ａを上下方向につなぐ壁部材１２ａと、保持物品の大きさに適合して起伏自在な制限部材１３とを有し、前記可動保持体８は保持物品の水平方向への移動を制限する枠部材１０ｂと、保持物品の下面を支持する底部材１１ｂと、前記枠部材１０ｂと前記底部材間１１ｂを上下方向につなぐ壁部材１２ｂを有し、更に上下方向において前記固定保持体４の枠部材１０ａと底部材１１ａの間に可動保持体８が配置される。
【００３５】
そしてルーバー１への取り付け状態において第１物品保持部３は、固定保持体４の枠部材１０ａと底部材１１ａ間の、エアコン吹き出し口と対向する位置に、エアコン吹き出し口から吹き出す空気を取り入れ可能な空気の取り入れ口１４ａが形成される。
【００３６】
更にルーバー１への取り付け状態において第２物品保持部６は、可動保持体８の枠部材１０ｂと底部材１１ｂの間の、固定保持体４の空気取入口１４ａと重なる位置に、エアコン吹き出し口から吹き出す空気を遮断する壁部材１２ｂが形成される。
【００３７】
更にルーバー１への取り付け状態において第３物品保持部７は、可動保持体８の枠部材１０ｂと底部材１１ｂの間の、エアコン吹き出し口と対向する位置に、エアコン吹き出し口から吹き出す空気を遮断する壁部材１２ｂが形成される。
【００３８】
第６実施例においては、第１物品保持部３のみに、エアコンから吹き出す加熱若しくは冷却された空気の取り入れ口１４ａを設けられているため、飲料容器を加熱及び冷却する事ができる。又、第２物品保持部６は固定保持体４に設けられた空気の取り入れ口１４ａが可動保持体８に設けられた壁部材12bにより塞がれる構造であるため、飲料容器がエアコンから吹き出す加熱若しくは冷却された空気により、不必要に加熱又は冷却されてしまう事を防止出来る。実際には、自動販売機等で購入したばかりの冷却された飲料容器温度よりも、エアコン噴出し口から噴出す冷却された空気の方が温度が高い場合も多く、又、自動販売機等で購入したばかりの加温された飲料容器温度よりも、エアコン噴出し口から噴出す加熱された空気の方が温度が低い場合も多いため、自動販売機等で購入してから直ぐ飲む場合においては、エアコンから吹き出す加熱若しくは冷却された空気が当たらない構造の第２物品保持部６を選択する事が出来る。又、第２物品保持部６若しくは、車両のエアコン吹き出し口のルーバー１への取り付け具から離れた位置にある第３物品保持部７に、保持物品の中でも比較的重量が軽い携帯電話や、リモートコントローラーなどろ保持する事により、ルーバー１とクリップ等の取り付け部２との間のガタツキや、ルーバー１自身の撓みに起因して、物品保持具の固定状態が不安定になる事を防止すると共に、携帯電話や、リモートコントローラーを保持する第３物品保持部７は、エアコンから吹き出す空気によって加熱及び冷却される事を防止する壁部材１２ｂが設けてあるため、エアコンから吹き出す空気による加熱による温度上昇や、冷却による露の付着による故障を防止する効果がある。
【実施例７】
【００３９】
本発明の車両用物品保持具の第７実施例は、図１４〜図１５に示すように、車両のエアコン吹き出し口のルーバー１への取り付け具２を有し単独で第１物品保持部３を形成する固定保持体４と、軸５により前記固定保持体４に対して略水平方向に旋回可能に軸支され、固定保持体４と重なった状態で第２物品保持部６を形成する格納位置と、第１物品保持部３の側方位置に単独で第３物品保持部７を形成する展開位置との双方の位置に配置可能に構成された可動保持体８より成り、前記固定保持体４は保持物品の主に水平方向への移動を制限する枠部材１０ａと、保持物品の下面を支持する底部材１１ａと、前記枠部材１０ａと前記底部材間１１ａを上下方向につなぐ壁部材１２ａと、保持物品の大きさに適合して起伏自在な制限部材１３とを有し、前記可動保持体８は保持物品の水平方向への移動を制限する枠部材１０ｂと、保持物品の下面を支持する底部材１１ｂと、前記枠部材１０ｂと前記底部材間１１ｂを上下方向につなぐ壁部材１２ｂを有し、更に上下方向において前記固定保持体４の枠部材１０ａと底部材１１ａの間に可動保持体８が配置される。
【００４０】
そしてルーバー１への取り付け状態において第１物品保持部３は、固定保持体４の枠部材１０ａと底部材１１ａ間の、エアコン吹き出し口と対向する位置に、エアコン吹き出し口から吹き出す空気を取り入れ可能な空気の取り入れ口１４ａが形成される。
【００４１】
更にルーバー１への取り付け状態において第２物品保持部６は、可動保持体８の枠部材１０ｂと底部材１１ｂの間の、固定保持体４の空気取入口１４ａと重なる位置に、エアコン吹き出し口から吹き出す空気を遮断する壁部材１２ｂが形成される。
【００４２】
更にルーバー１への取り付け状態において第３物品保持部７は、可動保持体８の枠部材１０ｂと底部材１１ｂの間の、エアコン吹き出し口と対向する位置に、エアコン吹き出し口から吹き出す空気を第３物品保持部７内に取り入れ可能な取り入れ口１４ｃが形成される。
【００４３】
第７実施例においては、第１物品保持部３、及び第３物品保持部７においてエアコンから吹き出す加熱若しくは冷却された空気の取り入れ口１４ａ、１４ｃが夫々設けられているため、第１物品保持部３、又は第３物品保持部７に飲料容器を保持した場合においても飲料容器を加熱及び冷却する事ができ、同時に第１物品保持部３と第３物品保持部７に飲料容器を保持した場合には、運転者と、助手席の同乗者の飲料容器を同時に加熱及び冷却する事が出来るため非常に便利である。本実施例においては、第１物品保持部３のみに、エアコンから吹き出す加熱若しくは冷却された空気の取り入れ口１４ａを設けられているため、飲料容器を加熱及び冷却する事ができる。又、第２物品保持部６は固定保持体４に設けられた空気の取り入れ口１４ａが可動保持体８に設けられた壁部材12bにより塞がれる構造であるため、飲料容器がエアコンから吹き出す加熱若しくは冷却された空気により、不必要に加熱又は冷却されてしまう事を防止出来、更に第２物品保持部６に携帯電話や、リモートコントローラーを保持する場合にはエアコンから吹き出す空気による加熱による温度上昇や、冷却による露の付着による故障を防止する効果がある。尚、本実施例においては、エアコン吹き出し口のルーバー１と、クリップ等の取り付け具２との間のガタツキや、ルーバー１自身の撓みを防止するために、サブクリップ（図示せず）等の補助取り付け具を追加したり、取り付け具の位置を予め、若しくはスライド機構（図示せず）等により第３物品保持部７の方向にオフセット可能な構造を用いる事が出来る。
【図面の簡単な説明】
【００４４】
【図１】本発明の第１実施例を示す参考斜視図である。
【図２】本発明の第１実施例を示す参考斜視図である。
【図３】本発明の第１実施例を示す参考断面図である。
【図４】本発明の第２実施例を示す参考斜視図である。
【図５】本発明の第１実施例を示す参考斜視図である。
【図６】本発明の第１実施例を示す参考斜視図である。
【図７】本発明の第１実施例を示す参考斜視図である。
【図８】本発明の第１実施例を示す参考斜視図である。
【図９】本発明の第１実施例を示す参考斜視図である。
【図１０】本発明の第１実施例を示す参考斜視図である。
【図１１】本発明の第１実施例を示す参考斜視図である。
【図１２】本発明の第１実施例を示す参考斜視図である。
【図１３】本発明の第１実施例を示す参考斜視図である。
【図１４】本発明の第１実施例を示す参考斜視図である。
【図１５】本発明の第１実施例を示す参考斜視図である。
【図１６】本発明の従来例を示す参考斜視図である。
【図１７】本発明の従来例を示す参考斜視図である。
【図１８】本発明の従来例を示す参考斜視図である。
【符号の説明】
【００４５】
１      ルーバー
２      取り付け具
３      第１物品保持部
４      固定保持体
５      軸
６      第２物品保持部
７      第３物品保持部
８      可動保持体
１０ａ  枠部材
１０ｂ  枠部材
１１ａ  底部材
１１ｂ  底部材
１２ａ  壁部材
１２ｂ  壁部材
１３    制限部材
１４ａ  取り入れ口
１４ｂ  取り入れ口
１４ｃ  取り入れ口
２０    クリップ
２１    固定保持部
２２    可動保持部
２３ａ  枠部材
２３ｂ  枠部材
２４ａ  底部材
２４ｂ  底部材
２５    壁部材
２６    フロントコンソール
２７    固定保持体
２８    可動保持体
【図１】
2006213100.tif 000003
【図２】
2006213100.tif 000004
【図３】
2006213100.tif 000005
【図４】
2006213100.tif 000006
【図５】
2006213100.tif 000007
【図６】
2006213100.tif 000008
【図７】
2006213100.tif 000009
【図８】
2006213100.tif 000010
【図９】
2006213100.tif 000011
【図１０】
2006213100.tif 000012
【図１１】
2006213100.tif 000013
【図１２】
2006213100.tif 000014
【図１３】
2006213100.tif 000015
【図１４】
2006213100.tif 000016
【図１５】
2006213100.tif 000017
【図１６】
2006213100.tif 000018
【図１７】
2006213100.tif 000019
【図１８】
2006213100.tif 000020